(57)【要約】【課題】本発明は、コネクターアセンブリを提供する。【解決手段】本発明のコネクターアセンブリは、第一素子及び第二素子を電気的に接続するために用いられ、第一コントローラーと、第一素子と第一コントローラーとの間に電気的に接続される第一コネクターと、第二コントローラーと、第一コントローラーと第二コントローラーとの間に電気的に接続される２つのシリアルバスと、第二素子と第二コントローラーとの間に電気的に接続される第二コネクターと、を備え、第一コネクターは、第一素子から出力する複数のパラレル信号を受信して第一コントローラーに送信し、第一コントローラーは、複数のパラレル信号を２つのシリアル信号に変換し、２つのシリアルバスは、２つのシリアル信号を第二コントローラーに送信し、第二コントローラーは、２つのシリアル信号を複数のパラレル信号に変換する。【選択図】図１
2013065285.tif 000002
【特許請求の範囲】
【請求項１】
第一素子及び第二素子を電気的に接続するために用いられ、第一コントローラーと、前記第一素子と前記第一コントローラーとの間に電気的に接続される第一コネクターと、第二コントローラーと、前記第一コントローラーと前記第二コントローラーとの間に電気的に接続される２つのシリアルバスと、前記第二素子と前記第二コントローラーとの間に電気的に接続される第二コネクターと、を備えてなるコネクターアセンブリであって、
前記第一コネクターは、前記第一素子から出力する複数のパラレル信号を受信して前記第一コントローラーに送信し、前記第一コントローラーは、複数の前記パラレル信号を２つのシリアル信号に変換し、２つの前記シリアルバスは、２つの前記シリアル信号を前記第二コントローラーに送信し、前記第二コントローラーは、２つの前記シリアル信号を複数のパラレル信号に変換することを特徴とするコネクターアセンブリ。
【請求項２】
前記第一コネクター及び前記第一コントローラーは、前記第一素子とともに同じ第一固定板に固定され、前記第二コネクター及び前記第二コントローラーは、前記第二素子とともに同じ第二固定板に固定されることを特徴とする請求項１に記載のコネクターアセンブリ。
【請求項３】
前記コネクターアセンブリは、前記第一コントローラーと２つの前記シリアルバスとの間に接続される第三コネクター及び２つの前記シリアルバスの他端と前記第二コントローラーとの間に接続される第四コネクターをさらに備えることを特徴とする請求項２に記載のコネクターアセンブリ。
【請求項４】
前記第三コネクターは前記第一固定板に固定され、前記第四コネクターは前記第二固定板に固定されることを特徴とする請求項３に記載のコネクターアセンブリ。
【発明の詳細な説明】
【技術分野】
【０００１】
本発明は、コネクターアセンブリに関するものである。
【背景技術】
【０００２】
コンピューターケースのフロントパネルには、一般的に電源ボタン、リセットボタン（再起動ボタン）、電源ランプ、ＨＤＤランプの４つが付いている。前記フロントパネルの電源ボタン、リセットボタン、電源ランプ、ＨＤＤランプを使用できるようにするためには、フロントパネルからの複数のケーブルをマザーボードのフロントパネルコネクタに接続することを必要とする。複数の前記ケーブルは、コンピューターケースの内部空間を占用するので、コンピューターケース内の空気流動を妨害し、コンピューターの放熱を影響する。
【発明の概要】
【発明が解決しようとする課題】
【０００３】
本発明の目的は、前記課題を解決し、ケーブル数を減少できるコネクターアセンブリを提供することである。
【課題を解決するための手段】
【０００４】
本発明に係るコネクターアセンブリは、第一素子及び第二素子を電気的に接続するために用いられ、第一コントローラーと、前記第一素子と前記第一コントローラーとの間に電気的に接続される第一コネクターと、第二コントローラーと、前記第一コントローラーと前記第二コントローラーとの間に電気的に接続される２つのシリアルバスと、前記第二素子と前記第二コントローラーとの間に電気的に接続される第二コネクターと、を備え、前記第一コネクターは、前記第一素子から出力する複数のパラレル信号を受信して前記第一コントローラーに送信し、前記第一コントローラーは、複数の前記パラレル信号を２つのシリアル信号に変換し、２つの前記シリアルバスは、２つの前記シリアル信号を前記第二コントローラーに送信し、前記第二コントローラーは、２つの前記シリアル信号を複数のパラレル信号に変換する。
【発明の効果】
【０００５】
本発明のコネクターアセンブリにおいて、第一素子から出力する複数のパラレル信号は、第一コントローラーによって２つのシリアル信号に変換され、２つの前記シリアル信号は、２つのシリアルバスによって第二コントローラーに送信され、第二コントローラーは、２つの前記シリアル信号を複数のパラレル信号に変換されてから第二素子に出力するので、信号伝送過程におけるケーブルの数を減少して、電子装置の放熱効果を高める。
【図面の簡単な説明】
【０００６】
【図１】本発明の実施形態に係るコネクターアセンブリの機能ブロック図である。
【発明を実施するための形態】
【０００７】
以下、図面を参照して、本発明の実施形態について説明する。
【０００８】
図１を参照すると、本発明の実施形態に係るコネクターアセンブリ１００は、第一素子２１０及び第二素子２２０を電気接続するために用いられる。本実施形態において、前記第一素子２１０は、コンピューターのマザーボードであり且つ３０個の出力ピン２１１を備え、前記第二素子２２０は、コンピューターケースのフロントパネルであり且つ３０個の入力ピン２２１を備える。前記コネクターアセンブリ１００は、第一コネクター１０と、第二コネクター２０と、第三コネクター３０と、第四コネクター４０と、第一コントローラー５０と、２つのシリアルバス（Ｉｎｔｅｒ−Ｉｎｔｅｇｒａｔｅ  Ｃｉｒｃｕｉｔ，１２Ｃ）６０と、第二コントローラー７０と、を備える。
【０００９】
前記第一コネクター１０は、複数の第一入力端１１及び複数の第一出力端１２を備える。複数の前記第一入力端１１は、前記第一素子２１０の複数の出力ピン２１１にそれぞれに電気的に接続されて、前記第一素子２１０からの複数のパラレル制御信号を受信する。複数の前記第一出力端１２は、複数の前記第一入力端１１にそれぞれに電気的に接続されて、前記パラレル制御信号を出力する。本実施形態において、前記第一入力端１１及び前記第一出力端１２の数は、それぞれに３０個であり、前記第一コネクター１０は、挿入式コネクターであり、前記第一入力端１１は挿入孔であり、前記第一素子２１０の出力ピン２１１は、前記第一コネクター１０の挿入孔に挿入される。
【００１０】
前記第二コネクター２０は、複数の第二入力端２１及び複数の第二出力端２２を備える。複数の前記第二出力端２２は、前記第二素子２２０の複数の入力ピン２２１にそれぞれに電気的に接続される。複数の前記第二出力端２２は、複数の前記第二入力端２１にそれぞれに電気的に接続される。本実施形態において、前記第二入力端２１及び前記第二出力端２２の数は、それぞれに３０個である。 
【００１１】
前記第三コネクター３０は、２つの第三入力端３１及び２つの第三出力端３２を備える。２つの前記第三出力端３２は、２つの前記第三入力端３１にそれぞれに電気的に接続される。
【００１２】
前記第四コネクター４０は、２つの第四入力端４１及び２つの第四出力端４２を備える。２つの前記第四出力端４２は、２つの前記第四入力端４１にそれぞれに電気的に接続される。
【００１３】
前記第一コントローラー５０は、前記第一コネクター１０と第三コネクター３０との間に接続されており、前記第一コネクター１０からの複数のパラレル制御信号を受信して２つのシリアル制御信号に変換する。前記第一コントローラー５０は、複数の第五入力端５１及び２つの第五出力端５２を備える。前記第五入力端５１の数は、前記第一出力端１２の数と等しく、複数の前記第五入力端５１は、複数の前記第一出力端１２にそれぞれに電気的に接続される。２つの前記第五出力端５２は、２つの前記第三入力端３１に電気的に接続される。本実施形態において、前記第一コントローラー５０は、ＢＭＣ（Ｂａｓｅｂｏａｒｄ  Ｍａｎａｇｅｍｅｎｔ  Ｃｏｎｔｒｏｌｌｅ）チップである。他の実施形態において、前記第一コントローラー５０は、１２Ｃコントローラーであることができる。
【００１４】
２つの前記シリアルバス６０は、前記第三コネクター３０と前記第四コネクター４０との間に電気的に接続される。各々の前記シリアルバス６０は、第六入力端６１及び第六出力端６２を備える。２つの前記シリアルバス６０の第六入力端６１は、２つの前記第三出力端３２にそれぞれに電気的に接続され、２つの前記シリアルバス６０の第六出力端６２は、２つの前記第四入力端４１にそれぞれに電気的に接続される。
【００１５】
前記第二コントローラー７０は、前記第四コネクター４０と前記第二コネクター２０との間に接続されており、２つの前記シリアル制御信号を複数のパラレル制御信号に変換する。前記第二コントローラー７０は、２つの第七入力端７１及び複数の第七出力端７２を備える。２つの前記第七入力端７１は、２つの前記第四出力端４２にそれぞれに電気的に接続される。前記第七出力端７２の数は、前記第二入力端２１の数と等しく、複数の前記第七出力端７２は、複数の前記第二入力端２１にそれぞれに電気的に接続される。本実施形態において、前記第二コントローラー７０は、シリアル信号をパラレル信号に変換するチップであり、型番はＰＣＡ９５５５ＰＷである。
【００１６】
本実施形態において、前記第一コネクター１０、前記第三コネクター３０及び前記第一コントローラー５０は、全て前記第一素子２１０とともに同じ第一固定板（図示せず）に固定され、前記第二コネクター２０、前記第四コネクター４０及び前記第二コントローラー７０は、全て前記第二素子２２０とともに同じ第二固定板（図示せず）に固定される。２つの前記シリアルバス６０は、前記第一固定板と前記第二固定板との間に配置されて、その結果、前記第一固定板と前記第二固定板との間のケーブルの数は削減されて、コンピューターの放熱効果を向上させる。
【００１７】
各々の前記シリアルバス６０の第六入力端６１には、前記第三コネクター３０に接続される第五コネクター（図示せず）が設置され、各々の前記シリアルバス６０の第六出力端６２には、前記第四コネクター４０に接続される第六コネクター（図示せず）が設置され、前記第三コネクター３０及び前記第四コネクター４０は、２つの前記シリアルバス６０を便利に取り付けるか取り外すために用いらえる。他の実施形態において、前記第三コネクター３０、前記第四コネクター４０、前記第五コネクター及び前記第六コネクターを省略して、２つの前記シリアルバス６０を直接に前記第一コントローラー５０と前記第二コントローラー７０との間に電気的に接続することができる。
【００１８】
本発明のコネクターアセンブリ１００において、前記第一素子（コンピューターのマザーボード）２１０から出力する複数のパラレル信号は、前記第一コントローラー５０によって２つのシリアル信号に変換され、２つの前記シリアル信号は、２つの前記シリアルバス６０によって前記第二コントローラー７０に送信されて、前記第二コントローラー７０によって複数のパラレル信号に変換されてから前記第二素子（コンピューターケースのフロントパネル）２２０に出力されるので、信号伝送過程におけるケーブルの数を減少して、電子装置（コンピューター）の放熱効果を高める。
【００１９】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００２０】
１０  第一コネクター
１１  第一入力端
１２  第一出力端
２０  第二コネクター
２１  第二入力端
２２  第二出力端
３０  第三コネクター
３１  第三入力端
３２  第三出力端
４０  第四コネクター
４１  第四入力端
４２  第四出力端
５０  第一コントローラー
５１  第五入力端
５２  第五出力端
６０  シリアルバス
６１  第六入力端
６２  第六出力端
７０  第二コントローラー
７１  第七入力端
７２  第七出力端
２１０  第一素子
２２０  第二素子
【図１】
2013065285.tif 000003